(57)【特許請求の範囲】
【請求項１】
胴部(10)より口頸部(12)を起立した容器体(Ａ)と、口頸部(12)に上端部を嵌着固定させるとともに、内部に遮断壁(30)を横設した筒部材(Ｂ)と、筒部材(Ｂ)下端部より垂設するとともに、容器体(Ａ)内下部まで垂下した吸上げ用のパイプ(Ｃ)とを備え、上記遮断壁(30)は、押し下げ時に弾性復元力を備えた肉厚の第１領域(30a)と、第１領域(30a)以外の薄肉の第２領域(30b) とを区画分離し、装着したポンプ(Ｅ)の下面により遮断壁(30)を押し下げることで第１領域(30a)と第２領域(30b)との臨界部位を破断して遮断壁(30)の上下を連通させたポンプ用交換容器において、
筒部材(Ｂ)の上部のフランジ(23)に排気用と外気導入用とを兼ねる透孔(27)を設けたことを特徴とするポンプ用交換容器。
【請求項２】
第１領域(30a)上面一部に押圧突起(34)を突出し、装着したポンプ(Ｅ)の下面により押圧突起(34)を押し下げることで第１領域(30a)を押し下げて第１領域(30a)と第２領域(30b)との臨界部位を破断し、遮断壁(30)の上下を連通させる請求項１記載のポンプ用交換容器。
【請求項３】
上記第１領域(30a)を、筒部材(Ｂ)の筒壁中央部に位置する基板部(32)と、基板部(32)の縁部と筒部材(Ｂ)の筒壁内面とを連結する複数の弾性連結板(33)とで構成し、第２領域(30b)を、基板部(32)外方の各弾性連結板(33)以外の部分で構成した請求項２に記載のポンプ用交換容器。
【請求項４】
各弾性連結板(33)は、それぞれ周方向等間隔に配置され、筒部材(Ｂ)の筒壁内面より中心に向かって延びた後筒部材(Ｂ)の筒壁内面に沿って延び、再び中心に向かって延びて基板部(32)縁部に連結する形状をなし、一箇所の弾性連結板(33)上に押圧突起(34)を立設してなる請求項３記載のポンプ用交換容器。
【請求項５】
押圧突起(34)の対向位置に、基板部(32)と筒部材(Ｂ)の筒壁とを連結する連結板(35)を設けた請求項４記載のポンプ用交換容器。
【請求項６】
ポンプ(Ｅ)を、容器体口頸部(12)外周に螺着させる装着キャップ(70)を備え、装着キャップ(70)の容器体口頸部(12)への螺着時に下端部のシリンダ(71)を筒部材(Ｂ)内に順次下降させる如く構成した請求項１乃至請求項５のいずれか一項に記載のポンプ用交換容器。
【発明の詳細な説明】
【技術分野】
【０００１】
本発明はポンプ用交換容器に関する。
【背景技術】
【０００２】
液体噴出器として、容器体の口頸部にポンプを装着したものが一般に知られている。これらは種々の形態が提案されているが、廃棄物の量にその処理が対応しきれない現状に鑑みて、近年では廃棄物の量をできるだけ減少させる工夫がなされており、その結果、収納液を使い切った後に液だけを詰め替える如く構成した液体噴出器が種々提案されている。（例えば、特許文献１参照）
【０００３】
特許文献１に記載されたものは、注出器と容器からなる液体注出容器の詰め替え容器であって、胴部と注出口部からなる自立容器であり、この自立容器は注出口部が注出器と嵌合して内容物を密封できる構造であることを特徴とするものであり、液体注出容器の内容物が消費されて無くなったときは注出器と容器の螺子を緩めて注出器を取り外し、次に新しい詰め替え容器のキャップを取り除き、この容器に注出器の吸上げ管を挿入して注出器と容器をセットし、更に、注出器と容器を螺子締めして一体化し、容器に入っている内容物を密封する。これで内容物の詰め替えは終了し、注出器の押し下げヘッドを押すことによって内容物を排出することができる。
【先行技術文献】
【特許文献】
【０００４】
【特許文献１】特開平１０−２９６５５号公報
【発明の概要】
【発明が解決しようとする課題】
【０００５】
上記特許文献１に記載されたものは、詰め替え容器としてカートリッジ式の容器を使用しているため、内容物の詰め替えを極めて簡単に行うことができる便利なものであるが、使用済みの容器からポンプを外して詰め替え容器に装着するまでの間に誤って詰め替え容器を倒してしまう虞があり、その場合、キャップを外した詰め替え容器からは内容物が漏出してしまう。また、同様に使用済みの容器を倒してしまう虞もあり、使用済みの容器であっても少量の液が残存する場合も十分に考えられ、その場合には同様に漏出してしまう虞がある。
【０００６】
また、ポンプには残量を極力減らすことを一つの目的としてパイプが取り付けられているが、液詰め替え時パイプ内にある内容液がこぼれたり、或いはパイプ外周に付着した液を介して詰め替え時に空気中の菌や埃が付着してしまうという不都合が生じる虞もある。      
【０００７】
本発明は上記した点に鑑みてなされたもので、詰め替え時に交換用の容器或いは今まで使用していた容器を誤って倒すことがあっても液の漏出がなく、また、交換時にパイプに菌や埃が付着する虞もない優れたポンプ用交換容器を提案する。
【課題を解決するための手段】
【０００８】
第１の手段として、以下の通り構成した。即ち、胴部10より口頸部12を起立した容器体Ａと、口頸部12に上端部を嵌着固定させるとともに、内部に遮断壁30を横設した筒部材Ｂと、筒部材Ｂ下端部より垂設するとともに、容器体Ａ内下部まで垂下した吸上げ用のパイプＣとを備え、上記遮断壁30は、押し下げ時に弾性復元力を備えた肉厚の第１領域30a と、第１領域30a 以外の薄肉の第２領域30b とを区画分離し、装着したポンプＥの下面により遮断壁30を押し下げることで第１領域30a と第２領域30b との臨界部位を破断して遮断壁30の上下を連通させたポンプ用交換容器において、
筒部材Ｂの上部のフランジ23に排気用と外気導入用とを兼ねる透孔27を設けたことを特徴とする。
【０００９】
第２の手段として、以下の通り構成した。即ち、前記第１の手段に於いて、第１領域30a 上面一部に押圧突起34を突出し、装着したポンプＥの下面により押圧突起34を押し下げることで第１領域30a を押し下げて第１領域30a と第２領域30b との臨界部位を破断し、遮断壁30の上下を連通させる。
【００１０】
第３の手段として、以下の通り構成した。即ち、前記第２の手段に於いて、上記第１領域30a を、筒部材Ｂの筒壁中央部に位置する基板部32と、基板部32の縁部と筒部材Ｂの筒壁内面とを連結する複数の弾性連結板33とで構成し、第２領域30b を、基板部32外方の各弾性連結板33以外の部分で構成した。
【００１１】
第４の手段として、以下の通り構成した。即ち、前記第３の手段に於いて、各弾性連結板33は、それぞれ周方向等間隔に配置され、筒部材Ｂの筒壁内面より中心に向かって延びた後筒部材Ｂの筒壁内面に沿って延び、再び中心に向かって延びて基板部32縁部に連結する形状をなし、一箇所の弾性連結板33上に押圧突起34を立設した。
【００１２】
第５の手段として、以下の通り構成した。即ち、前記第４の手段に於いて、押圧突起34の対向位置に、基板部32と筒部材Ｂの筒壁とを連結する連結板35を設けた。
【００１４】
第６の手段として、以下の通り構成した。即ち、前記第１の手段乃至第５の手段のいずれか一つの手段に於いて、ポンプＥを、容器体口頸部12外周に螺着させる装着キャップ70を備え、装着キャップ70の容器体口頸部12への螺着時に下端部のシリンダ71を筒部材Ｂ内に順次下降させる如く構成した。
【発明の効果】
【００１５】
本発明によれば、ポンプＥを装着しているポンプ用交換容器１内の液が無くなった場合に、液の充填された新しいポンプ用交換容器１のキャップＤを外し、そこに外したポンプＥを装着することで簡単に詰め替え操作を行える。その際、キャップＤを外したポンプ用交換容器１を誤って倒すことがあっても、遮断壁30により内外を遮断されているため、液が漏出するという不都合を生じることがない。また、収容液が無くなった古いポンプ用交換容器１においては、ポンプＥを外したことにより第１領域30a 或いは第１領域30a と第２領域30b とが弾性復元力により元の状態に戻るため内外が略遮断され、この場合も誤って倒すことがあっても残液が漏出する虞はない。
【００１６】
また、着脱するポンプＥはパイプＣを垂設したものではなく、パイプＣはポンプ用交換容器１内に備わっているため、ポンプＥを取り外した際にパイプＣ内の液が漏出したり、パイプＣ外面に埃や菌などが付着してしまう等の従来の不都合を解消できるものである。      
【００１７】
第１領域30a 上面一部に押圧突起34を突出し、装着したポンプＥの下面により押圧突起34を押し下げることで第１領域30a を押し下げて第１領域30a と第２領域30b との臨界部位を破断し、遮断壁30上下を連通させる場合には、第１領域30a のみの押し下げが可能であるため臨界部位での切断が容易に行え、切断後の第２領域30b が水平状態で維持され易く、その結果、押し下げられた第１領域30a が復元した際に、第２領域30b とで、遮蔽性に優れた遮断壁30が復元される。
【００１８】
上記第１領域30a を、筒部材Ｂの筒壁中央部に位置する基板部32と、基板部32の縁部と筒部材Ｂの筒壁内面とを連結する複数の弾性連結板33とで構成し、第２領域30b を、基板部32外方の各弾性連結板33以外の部分で構成した場合には、複数の弾性連結板33により基板部32を安定支持できるため、容器交換の際にポンプＥを外した場合に各弾性連結板33の弾性復元力により基板部32及び各弾性連結板33がより確実に元の状態に戻ることができ、遮蔽性に優れた遮断壁30が復元される。その結果、交換時に復元した遮断壁30を備えた容器を誤って倒しても残液がこぼれるのをより確実に防止できる。
【００１９】
各弾性連結板33は、それぞれ周方向等間隔に配置され、筒部材Ｂの筒壁内面より中心に向かって延びた後筒部材Ｂの筒壁内面に沿って延び、再び中心に向かって延びて基板部32縁部に連結する形状をなし、一箇所の弾性連結板33上に押圧突起34を立設してなる場合には、基板部32の充分な押下幅を採ることができるため、液の流通のための開口を大きく採ることができ、また、押圧突起34が偏った一か所にあるため、第１領域30a 及び第２領域30b の臨界部分の押圧による破断が、より容易確実に行える利点もある。
【００２０】
押圧突起34の対向位置に、基板部32と筒部材Ｂの筒壁とを連結する連結板35を設けた場合には、連結板35により基板部32を押し下げる方向への力が掛かり易く、第１領域30a 及び第２領域30b の臨界部分のより容易な破断が可能となる。
【００２１】
筒部材Ｂの上部のフランジ23に排気用と外気導入用とを兼ねる透孔27を設けた場合には、容器体Ａに装着する時には排気孔となり、容器体Ａに装着した後のポンプＥを装着しての使用中は外気導入孔となる便利がある。また、ポンプＥを外した時に、残液を排出するための排出口としても機能する利点もある。
【００２２】
ポンプＥを、容器体口頸部12外周に螺着させる装着キャップ70を備え、装着キャップ70の容器体口頸部12への螺着時にシリンダ71を筒部材Ｂ内に順次下降させる如く構成した場合には、第１領域30a 及び第２領域30b の臨界部分の押圧破断を容易に行える利点がある。
【図面の簡単な説明】
【００２３】
【図１】ポンプ用交換容器の縦断面図である。（実施例１）
【図２】ポンプ用交換容器の要部拡大断面図である。（実施例１）
【図３】図２の一部を更に拡大した要部拡大断面図である。（実施例１）
【図４】図２のＸ−Ｘ線に沿う横断面図である。（実施例１）
【図５】図２のＹ−Ｙ線に沿う横断面図である。（実施例１）
【図６】ポンプ用交換容器の分解状態の断面図である。（実施例１）
【図７】使用を説明する説明図である。（実施例１）
【図８】図７の要部拡大断面図である。（実施例１）
【図９】ポンプ用交換容器の要部拡大断面図である。（実施例２）
【図１０】図９のＺ−Ｚ線に沿う横断面図である。（実施例２）
【発明を実施するための形態】
【００２４】
以下、本発明の形態を図面を参照して説明する。
【００２５】
図１はポンプ用交換容器１を示す。ポンプ用交換容器１は、容器体Ａと、筒部材Ｂと、吸上げ用のパイプＣと、キャップＤとを備えている。
【００２６】
容器体Ａは、筒状の胴部10の上端より肩部11を介して口頸部12を起立している。また、口頸部12外周上端部には係止突条13を周設している。
【００２７】
筒部材Ｂは、本体部材B1と、連結筒部材B2との二部材で構成している。本体部材B1は、上方の大径筒部20からテ−パ部21を介して下端部の小径筒部22を延設し、大径筒部20の上端縁より外方にフランジ23を延設し、フランジ23の外周縁より嵌合筒24を垂設し、嵌合筒24の内周下端部には係合突条25を周設している。また、フランジ23裏面の嵌合筒24と大径筒部20との中間部所定位置からシール筒26を垂設し、更に、シール筒26と、大径筒部20との間のフランジ23には透孔27を穿設している。該透孔27は、図６に示す如く、筒部材Ｂの容器体Ａへの装着時に、容器体Ａ内の空気を排出するための透孔となり、また、図７に示す如く、筒部材Ｂを装着した容器体ＡにポンプＥを装着した際には外気導入孔として働く。
【００２８】
小径筒部22の上下方向中間部所定位置には遮断壁30を一体に横設してその上下を遮断している。遮断壁30は、図４に示す如く、肉厚の第１領域30a と、薄肉の第２領域30b とで区画構成している。第１領域30a は、小径筒部22の筒壁中央部に位置する円板状の基板部32と、基板部32の縁部と筒部材Ｂの筒壁内面とを連結する複数の弾性連結板33とで構成し、基板部32外方の各弾性連結板33以外の部分を第２領域30b として構成している。第２領域30b は図３に示す如く、第１領域30a よりも薄肉に形成されている。
【００２９】
各弾性連結板33は、小径筒部22の筒壁内面より中心に向かって延びた後筒壁内面に沿って円弧状に延び、再び中心に向かって延びて基板部32縁部に連結する形状をなしており、従って、筒壁内面に沿って延びる円弧板状部33a の両端を、筒壁と連結する放射状の筒壁連結部33b と、基板部32と連結する放射状の基板部連結部33c とでそれぞれ連結した形態を採っている。また、一つの円弧板状部33a の上面に、平面視円弧状をなす突条形態の押圧突起34を突設している。
【００３０】
また、本例では弾性連結板33以外に、基板部32と筒壁内面とを連結する連結板35を設けている。この連結板35は押圧突起34の対向位置に設けており、押圧突起34の押し下げをより容易に行える如く設けている。
【００３１】
連結筒部材B2は、小径筒部22外周に嵌着した周壁部40の下端縁より底壁部41を延設し、底壁部41の中央に連通孔42を穿設している。また、連通孔42の周囲の底壁部41下面より嵌合筒部43を垂設し、嵌合筒部43にパイプＣの上端を嵌着している。
【００３２】
そして、図６に示す如く、パイプＣを嵌着した筒部材Ｂを容器体Ａの上方から装着する。嵌合筒24を口頸部12の外周上端部に嵌着し、その係合突条25を口頸部12外周上端部の係止突条13に乗り越え係合させて抜け出しを防止し、また、シール筒26を口頸部12内周に密嵌させてこの部分の液密性を図り、大径筒部20からパイプＣまでを容器体Ａ内に垂下して容器体Ａに筒部材Ｂ及びパイプＣを装着している。
【００３３】
キャップＤは、口頸部12外周に螺着させた周壁60の上端縁より頂壁61を延設し、頂壁61の裏面にはパッキン62を介在させて筒部材Ｂの透孔27を気密に閉塞する如く構成している。
【００３４】
上記の如きポンプ用交換容器１を使用する場合について説明する。ポンプ用交換容器１は、ポンプＥを装着したポンプ用交換容器１の収容物が無くなった際に、ポンプＥを外し、新たな液を充満したポンプ用交換容器１と交換する。
【００３５】
ここで使用されているポンプＥは、口頸部12外周に螺着した装着キャップ70を備え、装着キャップ70の内周上部に、上部を嵌着したシリンダ71を備え、シリンダ71内より突出して上端の吐出ヘッド72を上方付勢状態で押し込み可能に設けた作動部材73を備え、作動部材73を上下動させることで、シリンダ71内の液を吐出ヘッド72の吐出口74より突出する如く構成した公知のポンプ機構を内蔵している。尚、図７中、76は外気導入孔を示す。この外気導入孔76は、例えばシリンダ内を摺動するピストンにより開閉され、シリンダの上端開口よりこの外気導入孔を介して装着した容器体Ａ内へ外気を導入し、容器体Ａ内の負圧化を解消する公知構成のものである。
【００３６】
そして、例えば、シリンダ71を筒部材Ｂ内に挿入して装着キャップ70を螺着させることで、シリンダ71の下端面が押圧突起34を押し下げ、各弾性連結板33及び基板部32及び連結板35が、連結板35を中心に下方へ押し下げられ、遮断壁30の上下が連通する。この際、シリンダ71下部外周のシール突条77が筒部材Ｂ内面に圧接してその上下を遮断する。この状態から吐出へッド72を上下動させることで、容器体Ａ内の液をパイプＣを介して筒部材Ｂ内へ吸上げ、遮断壁30の連通部分からシリンダ71内に吸上げるとともに、吐出口74より吐出する。この際、負圧化した容器体Ａ内には、シリンダ71上端より外気導入孔76、透孔27を介して外気が導入される。
【００３７】
容器体Ａ内の液が無くなった場合或いは殆ど無くなった場合には、装着キャップ70を螺脱してポンプＥを容器体Ａから取り外す。その際、各弾性連結板33の弾性復元力により、基板部32，各弾性連結板33，連結板35が元の水平位置に略復元し、遮断壁30の上下を略遮断する。これにより容器体Ａ内に若干の液が残っていて、容器体Ａを交換時に倒す等があっても、復元した遮断壁30により外部への漏出を防止する。
【００３８】
図９及び図10は他の例を示し、図１の例に於いて、遮断壁30の形態が相違する筒部材Ｂを備えている。遮断壁30は、図10に示す如く、肉厚の第１領域30a と、薄肉の第２領域30b とで区画構成している。第１領域30a は、小径筒部22の筒壁中央部に位置する円板状の基板部32と、基板部32の縁部と筒部材Ｂの筒壁内面とを連結する複数の弾性連結板33とで構成し、基板部32外方の各弾性連結板33以外の部分を第２領域30b として構成している。各弾性連結板33は、図１の例と同様の形態を採っている。
【００３９】
そして、図１の例と同様に、大径筒部20からパイプＣまでを容器体Ａ内に垂下して容器体Ａに筒部材Ｂ及びパイプＣを装着している。その他の構成は図１の例と同様であるため説明を省略する。
【００４０】
この場合も、ポンプＥを装着したポンプ用交換容器１の収容物が無くなった際に、ポンプＥを外し、新たな液を充満したポンプ用交換容器１と交換する。
【００４１】
また、同様にシリンダ71を筒部材Ｂ内に挿入して装着キャップ70を螺着させることで、シリンダ71の下端面が遮断壁30を押し下げる。この場合は、遮断壁30の第１領域30a 及び第２領域30b が同時に押し下げられ、各領域が延ばされることで第１領域30a と第２領域30b との臨界部分が切断されて遮断壁30の上下が連通する。尚、切断される第１領域30a と第２領域30b との臨界部分は、大抵の場合臨界線全体ではなく部分的に切断される。
【００４２】
この状態から吐出へッド72を上下動させることで、容器体Ａ内の液をパイプＣを介して筒部材Ｂ内へ吸上げ、遮断壁30の連通部分からシリンダ71内に吸上げるとともに、吐出口74より吐出する。この際、負圧化した容器体Ａ内には、シリンダ71上端より外気導入孔76、透孔27を介して外気が導入される。
【００４３】
容器体Ａ内の液が無くなった場合或いは殆ど無くなった場合には、装着キャップ70を螺脱してポンプＥを容器体Ａから取り外す。その際、各弾性連結板33の弾性復元力により、基板部32，各弾性連結板33が元の水平位置に略復元し、同様に押し下げられていた第２領域30b も弾性復元力により或いは第１領域30a との一部接続部分を介して第１領域30a の復元とともに復元し、遮断壁30の上下を略遮断する。これにより容器体Ａ内に若干の液が残っていて、容器体Ａを交換時に倒す等があっても、復元した遮断壁30により外部への漏出を防止する。
【００４４】
尚、各部材は合成樹脂等により形成することができ、また、図中75はパッキンを示す。
【符号の説明】
【００４５】
１…ポンプ用交換容器
Ａ…容器体
10…胴部、11…肩部、12…口頸部、13…係止突条
Ｂ…筒部材
B1…本体部材
20…大径筒部、21…テ−パ部、22…小径筒部、23…フランジ、24…嵌合筒、
25…係合突条、26…シール筒、27…透孔、30…遮断壁、30a …第１領域、
30b …第２領域、32…基板部、33…弾性連結板、33a …円弧板状部、
33b …筒壁連結部、33c …基板部連結部、34…押圧突起、35…連結板
B2…連結筒部材
40…周壁部、41…底壁部、42…連通孔、43…嵌合筒部
Ｃ…吸上げ用のパイプ
Ｄ…キャップ
60…周壁、61…頂壁、62…パッキン
Ｅ…ポンプ
70…装着キャップ、71…シリンダ、72…吐出ヘッド、73…作動部材、74…吐出口、      75…パッキン，76…外気導入孔，77…シール突条
【図１】
0005578545.tif 000002
【図２】
0005578545.tif 000003
【図３】
0005578545.tif 000004
【図４】
0005578545.tif 000005
【図５】
0005578545.tif 000006
【図６】
0005578545.tif 000007
【図７】
0005578545.tif 000008
【図８】
0005578545.tif 000009
【図９】
0005578545.tif 000010
【図１０】
0005578545.tif 000011